(57)【要約】      （修正有）【課題】掛け止め部を速やかに道糸に装着することができ、道糸に沿って投入した際の掛け止め部での道糸の絡まりを効果的に防止することができるヤエンを提供する。【解決手段】支持体２の後方側に掛け止め部４Ｆ，４Ｒを設けるとともに、支持体２の前方側に掛け針５を設けたヤエン１において、掛け止め部４Ｆ，４Ｒを支持体２の後方側における前後両位置よりそれぞれ立設させ、その先端に道糸を通す通し環が形成されるようにコイルリング４２ａ〜４２ｃを前後方向へ螺旋状に連ねたコイル状の装着部４２を設ける。そして、各装着部４２のそれぞれのコイルリング４２ａ〜４２ｃのコイル径を、その最前端のコイルリング４２ａの上端に対して道糸を単点で接触させるように後方側に行くに従って拡径させている。【選択図】図１
0003174360.tif 000002
【実用新案登録請求の範囲】
【請求項１】
直線状に延びる支持体の後方側に道糸に対して掛け止めされる掛け止め部が設けられているとともに、前記支持体の前方側に掛け針が設けられたイカ釣り用ヤエンであって、
前記掛け止め部は、前記支持体の後方側における前後方向複数位置よりそれぞれ立設され、その先端に前記道糸を通す通し環が形成されるようにコイルリングを前後方向へ螺旋状に連ねたコイル状の装着部を有しており、
前記各装着部のそれぞれのコイルリングのコイル径は、その最前端のコイルリングに対して前記道糸を単点で接触させるように後方側に行くに従って拡径されていることを特徴とするイカ釣り用ヤエン。
【請求項２】
前記各コイルリングのコイル径の中心軸は、前記各装着部毎に交差することなくそれぞれ前記掛け針に向かって延びている請求項１に記載のイカ釣り用ヤエン。
【請求項３】
前記各コイルリングの支持体側端が、前記支持体に対してほぼ同じ距離を隔ててそれぞれ略平行に配置されている請求項１又は請求項２に記載のイカ釣り用ヤエン。
【請求項４】
前記掛け止め部のうちの最前側に位置する掛け止め部は、その立設部分と前記支持体との間を連結する筋交いを備えている請求項１〜請求項３のいずれか１つに記載のイカ釣り用ヤエン。
【考案の詳細な説明】
【技術分野】
【０００１】
この考案は、アジやイワシ等の生餌を用いてイカ釣りを行なう際に使用するイカ釣り用ヤエン（以下、ヤエンという）の改良に関するものである。
【背景技術】
【０００２】
イカ釣りには、餌木やイカヅノを使用した釣り方や、アジ等の生餌を使用したブッ込み釣りやウキ釣り等の方法があるが、大型のアオリイカを狙うような場合には、夜間にアジ等の生餌を使用したヤエン釣りが行なわれている。ヤエン釣りは、釣竿から延ばした道糸の先端に生きたアジ等を結び付けた状態で投げ込み、イカがアジ等に乗った段階で、掛け針の付いたヤエンを道糸に沿って投入し、そのヤエンによってイカを釣りあげるという釣り方である。
【０００３】
このようなヤエンとしては、線材でできた支持体の前方側に取り付けられた複数の掛け針と、後方側に設けられた道糸への掛け止め部とを備えたものが従来より知られている（例えば、特許文献１参照）。この掛け止め部は、支持体の長手方向略中間位置よりほぼ直角に立設され、かつ先端にコイル状の丸めた装着部を有する前側掛け止め部と、支持体の後端位置より立設され、先端にクリップ状の装着部を有する後側掛け止め部とを備えている。
【先行技術文献】
【特許文献】
【０００４】
【特許文献１】特開２００３−５２２８６号公報
【考案の概要】
【考案が解決しようとする課題】
【０００５】
ところで、ヤエンは、道糸の先端に結び付けたアジ等の生餌にイカが乗った時点から生餌を食べている間に、道糸に沿わせてヤエンをイカに向けて投下し、ヤエンに取り付けられた掛け針でイカを釣り上げるものである。そのため、ヤエンの掛け止め部を速やかに道糸に装着する必要がある。
【０００６】
しかし、前記従来のものでは、前側掛け止め部と後側掛け止め部とが互いに異なる構成となるため、夜間にコイル状の装着部とクリップ状の装着部とをそれぞれ道糸に装着する作業に戸惑いが生じ、時間を要してしまう。
しかも、クリップ状の装着部では、道糸が装着部に対し単点で接触して接触抵抗が小さいものの、コイル状の装着部では、道糸が装着部に対しコイルの巻き数に応じて複数点で接触しているために接触抵抗が大きなものとなる。そのため、ヤエンを道糸に沿って投入した際に、前側掛け止め部と後側掛け止め部との間で道糸に弛みが生じ、道糸が掛け止め部に絡まるおそれがある。
【０００７】
本考案は、かかる点に鑑みてなされたものであり、その目的とするところは、掛け止め部を速やかに道糸に装着することができ、道糸に沿って投入した際の掛け止め部での道糸の絡まりを効果的に防止することができるヤエンを提供することにある。
【課題を解決するための手段】
【０００８】
前記目的を達成するため、本考案では、直線状に延びる支持体の後方側に道糸に対して掛け止めされる掛け止め部が設けられているとともに、前記支持体の前方側に掛け針が設けられたヤエンを前提とする。更に、前記掛け止め部を前記支持体の後方側における前後方向複数位置よりそれぞれ立設させ、その先端に前記道糸を通す通し環が形成されるようにコイルリングを前後方向へ螺旋状に連ねたコイル状の装着部を設けている。そして、前記各装着部のそれぞれのコイルリングのコイル径を、その最前端のコイルリングに対して前記道糸を単点で接触させるように後方側に行くに従って拡径させていることを特徴としている。
【０００９】
この特定事項により、支持体の後方側における前後方向複数位置よりそれぞれ立設した掛け止め部の先端に、通し環が形成されるようにコイルリングを前後方向へ螺旋状に連ねたコイル状の装着部が設けられているので、同一構成となる掛け止め部によって、夜間に戸惑うことなく共通のコイル状の装着部が簡単に道糸に装着され、装着に要する作業時間が短縮される。これにより、道糸の先端に結び付けたアジ等の生餌にイカが乗った時点から生餌を食べている間に、ヤエンの掛け止め部を速やかに道糸に装着することが可能となる。
しかも、各コイルリングのコイル径が、その最前端のコイルリングに対して道糸を単点で接触させるように後方側に行くに従って拡径しているので、前後方向複数位置の各掛け止め部の装着部において道糸がそれぞれ最前端のコイルリングに対して単点で接触して接触抵抗が小さいものとなり、各装着部での道糸の接触抵抗に差が生じることがない。そのため、ヤエンを道糸に沿って投入した際に各掛け止め部間で道糸に弛みが生じることもなく、各掛け止め部での道糸の絡まりを効果的に防止することが可能となる。
【００１０】
また、前記各コイルリングのコイル径の中心軸を、前記各装着部毎に交差することなくそれぞれ前記掛け針に向かって延ばすことが好ましい。
【００１１】
この場合には、各コイルリングのコイル径の中心軸が各装着部毎に交差しないようにそれぞれ掛け針向きに延ばしているので、各掛け止め部の装着部の通し環を道糸の導通方向から見た際に最前端のコイルリングの反支持体側端が他のコイルリングの反支持体側端から最も離れた位置で露見することになる。このため、各掛け止め部の装着部において道糸がそれぞれ最前端のコイルリングの反支持体側端に対して単点でより接触し易くなり、各装着部での道糸の接触抵抗を効果的に小さく抑えて、ヤエンを道糸の先端まで迅速に送ることができる。
【００１２】
また、前記各コイルリングの支持体側端を、前記支持体に対してほぼ同じ距離を隔ててそれぞれ略平行に配置することが好ましい。
【００１３】
この場合には、各コイルリングの支持体側端が支持体に対してほぼ同じ距離を隔ててそれぞれ略平行に配置されているので、各コイルリングの反支持体側端が後方側に行くに従って顕著に拡径することになる。このため、アジ等の生餌にイカが乗った時点での釣竿の上げ下げによって、最後端のコイルリングの反支持体側端が道糸によって持ち上がりやすくなる。これにより、各装着部の最前端のコイルリングと最後端のコイルリングとに道糸が交互に効率よく単点で接触し、ヤエンを道糸の先端までより迅速に送ることができる。
【００１４】
更に、前記掛け止め部のうちの最前側に位置する掛け止め部に、その立設部分と前記支持体との間を連結する筋交いを設けることが好ましい。
【００１５】
この場合、最前側の掛け止め部の立設部分と支持体とが筋交いによって連結されているので、複数の掛け針にイカが引っ掛かった際に道糸を支点にして上下動するために大きな力が作用する最前側の掛け止め部が筋交いによって効果的に補強され、ヤエンの剛性を高めることができる。
【考案の効果】
【００１６】
以上、要するに、各掛け止め部の先端にコイルリングを前後方向へ螺旋状に連ねたコイル状の装着部を設けることで、同一構成の掛け止め部によって夜間に戸惑うことなくコイル状の装着部を簡単に道糸に装着して作業時間を短縮し、ヤエンの掛け止め部を速やかに道糸に装着することができる。しかも、各コイルリングのコイル径を、当該各装着部の最前端に対して道糸を単点で接触させるように後方側に行くに従って拡径させることで、各装着部での道糸の接触抵抗が共に小さいものとなって各装着部での道糸の接触抵抗に差を生じさせることがなく、ヤエンを道糸に沿って投入した際に前後の各掛け止め部間での道糸の弛みをなくして、各掛け止め部での道糸の絡まりを効果的に防止することができる。
【図面の簡単な説明】
【００１７】
【図１】本考案の実施の形態に係るヤエンの斜視図である。
【図２】図１のヤエンを側方から見た側面図である。
【図３】図１のヤエンの掛け止め部先端の装着部を側方から見た側面図である。
【図４】図３の装着部を後方から見た背面図である。
【図５】図１のヤエンを用いて岸壁でイカ釣りをしている状態を示す斜視図である。
【図６】釣竿を上げた際に各装着部における道糸の接触状態を示すヤエンの側面図である。
【図７】釣竿を下げた際に各装着部における道糸の接触状態を示すヤエンの側面図である。
【考案を実施するための形態】
【００１８】
以下、本考案の実施の形態に係るヤエンについて、図面に基づいて説明する。
【００１９】
図１はヤエンの斜視図、図２はヤエンを側方から見た側面図である。
図１及び図２において、ヤエン１は、後述する道糸３に引っ掛けられて道糸３に沿って海中に投入されると、道糸３に誘導されて沈下するようになっている。そして、ヤエン１は、直線状に延びる支持体２の後方側（図２では左側）に設けられ、かつ道糸３に対して掛け止めされる掛け止め部４と、支持体２の前方側（図２では右側）に設けられた３個の掛け針５，５，…とを備えている。
【００２０】
支持体２および各掛け針５は、バネ用ステンレス線材（例えば、ＪＩＳに規定するＳＵＳ３０４−ＷＰＢ）等により構成されている。なお、各掛け針５は、高炭素鋼等により構成してもよい。また、支持体２は、その線径が１．０ｍｍ以下で、より好ましくは０．８ｍｍから１．０ｍｍであり、断面が円形の細長線状に形成されている。このため、ヤエン１が海中に誘導された際には、水の抵抗が小ないので速やかに沈下して生餌Ｆ（後述する）に到達する。また、支持体２の後端には、ヤエン１を速やかに沈下させかつ沈下中のバランスを保つための寸胴タイプの錘６が取り付けられている。
【００２１】
各掛け針５は、それぞれ６本の鈎針５１，５１，…の軸部を支持体２の軸部に結束固定するとともに、支持体２を軸心として各鈎針５１の針先を上半分となる略半円弧の範囲内で等角度おき（例えば、３６°おき）に放射状に配置したものである。各掛け針５は、最前端のものが支持体２の前端に設けられているとともに、残る２つの掛け針５が最前端の掛け針５を基準にして略等間隔に設けられ、支持体２の前方側においてそれぞれ前後方向に離間して配置されている。なお、掛け針５は、支持体２の前方側において２箇所つ又は４箇所以上に設けられていてもよい。
【００２２】
掛け止め部４は、ピアノ線やバネ用ステンレス線材等により形成され、支持体２の後方側における前後方向略中間位置及び後端位置（錘６よりも前側）にそれぞれ設けられている。この前側及び後側の掛け止め部４Ｆ，４Ｒは、支持体２より立設する立設部分としての立設部４１と、この各立設部４１の先端に通し環４０が形成されるようにコイル状に丸めた装着部４２とを備えている。立設部４１は、支持体２に対し同じ向き（上向き）に略直角に延びている。この場合、後側の掛け止め部４Ｒの立設部４１は、前側の掛け止め部４Ｆの立設部４１よりも高くなるように長尺に形成されている。なお、掛け止め部４は支持体２の後方側において３箇所以上に設けられていてもよい。
【００２３】
図３はヤエン１の掛け止め部４先端の装着部４２を側方から見た側面図、図４は装着部４２を後方から見た背面図である。
この図３及び図４において、各装着部４２は、後方側に向かって３巻きされたコイルリング４２ａ，４２ｂ，４２ｃを前後方向へ螺旋状に連ねてなり、それぞれのコイルリング４２ａ，４２ｂ，４２ｃのリング径（コイル径）が後方側に行くに従ってラッパ状に拡径し、最前端のコイルリング４２ａに対して道糸３が単点で接触している。この場合、装着部４２は、ピアノ線やバネ用ステンレス線材等を立設部４１の先端から３巻きしてコイルリング４２ａ〜４２ｃを螺旋状に連ねて作成するに当たり、装着部４２の先端をペンチなどの把持具（図示せず）により把持するための把持片（図示せず）が設けられているが、この把持片はカッター（図示せず）により切除されている。
【００２４】
前側及び後側の掛け止め部４Ｆ，４Ｒの装着部４２における各コイルリング４２ａ〜４２ｃのリング径の中心軸４Ｆ１，４Ｒ１（図２に表れる）は、各装着部４２毎（各掛け止め部４Ｆ，４Ｒ毎）に交差することなくそれぞれ掛け針５に向きとなるようにそれぞれ斜め下向きに延びている。この場合、前側及び後側の掛け止め部４Ｆ，４Ｒの装着部４２の中心軸４Ｆ１，４Ｒ１は、支持体２を通過したのちに互いに交差するものの、支持体２を通過するまでは互いに交差しないことで、前後の装着部４２の通し環４０を通る道糸３が最前端のコイルリング４２ａの上端に対してのみ接触し易くなるようにしている。
【００２５】
また、各コイルリング４２ａ〜４２ｃの支持体２側端つまり下端は、支持体２に対してそれぞれ略平行に配置されている。要するに、各装着部４２のコイルリング４２ａ〜４２ｃの下端は、支持体２に対してほぼ同じ距離を隔てた離間位置でそれぞれ揃えられており、中央のコイルリング４２ｂが最前端のコイルリング４２ａの下端を基準にして外方に拡径され、最後端のコイルリング４２ｃが中央のコイルリング４２ｂの下端を基準にして外方に拡径されている。この場合、最前端のコイルリング４２ａよりも後側のコイルリング４２ｂ，４２ｃの上端（反支持体２側端）は、それぞれ前側のコイルリング４２ａ（又は４２ｂ）の下端を基準にすることで、上方に大きく拡径することになり、これによって、最前端のコイルリング４２ａに対する道糸３の単点での接触が円滑に行われる。
【００２６】
更に、前側の掛け止め部４Ｆは、その立設部分４１とこの立設部４１の若干前側に対応する支持体２の対応位置との間を連結する筋交い４３を備えている。この場合、各掛け針５にイカが引っ掛かった際に道糸３を支点にしてヤエン１が上下動すると、前側の掛け止め部４Ｆに大きな力が作用するため、この前側の掛け止め部４Ｆを筋交い４３によって補強することで、前側の掛け止め部４Ｆに作用する大きな力に抗することが可能となる。
【００２７】
そして、前側及び後側の掛け止め部４Ｆ，４Ｒの装着部４２に対する道糸３の装着は、前側又は後側の掛け止め部４Ｆ，４Ｒの一方の装着部４２に対し、道糸３を最前端又は最後端のコイルリング４２ａ，４２ｃに沿わせて後方又は前方のコイルリングの通し環４０に順に通して装着した後、他方の装着部４２に対し道糸３を同様の手順で装着することによって行われる。
【００２８】
図５はヤエン１を用いて岸壁でイカ釣りをしている状態を示す斜視図、図６は釣竿を立てた際に各装着部４２における道糸３の接触状態を示すヤエン１の側面図、図７は釣竿を下げた際に各装着部４２における道糸３の接触状態を示すヤエン１の側面図である。
【００２９】
図５に示すように、イカ釣りする場合には、道糸３の先端にアジ等の生餌Ｆを取り付けて海面Ｓに投げ入れ、イカＣが生餌Ｆに乗ったら、道糸３を前側及び後側の掛け止め部４Ｆ，４Ｒの装着部４２の通し環４０に通してヤエン１を装着する。
【００３０】
その後、図６に示すように、道糸３を各装着部４２の最後端のコイルリング４２ｃの上端に対してのみ接触させるように釣竿Ｒを立てたり、図７に示すように、道糸３を各装着部４２の最前端のコイルリング４２ａの上端に対してのみ接触させるように釣竿Ｒを下げたりして、ヤエン１にその自重による推進力を付与して海中Ｚへ沈ませていく。
この場合、ヤエン１は、釣竿Ｒを立てた際に、図６に示すように、道糸３に急勾配が付けられて各装着部４２の最後端のコイルリング４２ｃの上端に対してのみ道糸３が接触するように、支持体２が水平線Ｍに対してα°傾斜した状態となる。一方、釣竿Ｒを下げると、図７に示すように、道糸３に緩勾配が付されて各装着部４２の最前端のコイルリング４２ａの上端に対してのみ道糸が接触するように、支持体２が水平線Ｍに対してβ°（α＞β）傾斜した状態となる。
【００３１】
そして、ヤエン１が生餌Ｆに到達すると、錘６によって前側の掛け止め部４Ｆの装着部４２を支点にしてヤエン１の前端が持ち上がり、各掛け針５にイカＣを下方から引っ掛ける。イカＣが各掛け針５に引っ掛かったら、道糸３をゆっくりと巻き取ってイカＣを岸壁に引き寄せ、タモなどを用いてイカＣを取り込む。
【００３２】
したがって、本実施の形態では、支持体２の後方側における前側及び後側の掛け止め部４Ｆ，４Ｒの立設部４１の先端に、通し環４０が形成されるようにコイルリング４２ａ〜４２ｃを前後方向へ螺旋状に連ねたコイル状の装着部４２が設けられているので、同一構成となる掛け止め部４Ｆ，４Ｒによって、夜間に戸惑うことなく共通のコイル状の装着部４２が簡単に道糸３に装着され、装着に要する作業時間が短縮される。これにより、道糸３の先端に結び付けた生餌ＦにイカＣが乗った時点から生餌Ｆを食べている間に、ヤエン１の掛け止め部４Ｆ，４Ｒを速やかに道糸３に装着することができる。
【００３３】
しかも、各コイルリング４２〜４２ｃのコイル径が、その最前端のコイルリング４２ａに対して道糸３を単点で接触させるように後方側のコイルリング４２ｂ，４２ｃが順に拡径しているので、前側及び後側の掛け止め部４Ｆ，４Ｒの装着部４２において道糸３がそれぞれ最前端のコイルリング４２ａに対して単点で接触して接触抵抗が小さいものとなり、各装着部４２での道糸３の接触抵抗に差が生じることがない。そのため、ヤエン１を道糸３に沿って投入した際に各掛け止め部４Ｆ，４Ｒ間で道糸３に弛みが生じることもなく、各掛け止め部４Ｆ，４Ｒでの道糸３の絡まりを効果的に防止することができる。
【００３４】
また、各コイルリング４２ａ〜４２ｃのコイル径の中心軸４Ｆ１，４Ｒ１が、前側及び後側の掛け止め部４Ｆ，４Ｒ毎に交差することなくそれぞれ掛け針５に向きとなるようにそれぞれ斜め下向きに延びているので、各掛け止め部４Ｆ，４Ｒの装着部４２の通し環４０を道糸３の導通方向（前後方向）から見た際に最前端のコイルリング４２ａの上端が他のコイルリング４２ｂ，４２ｃの上端から最も離れた位置で露見することになる。このため、各掛け止め部４Ｆ，４Ｒの装着部４２において道糸３がそれぞれ最前端のコイルリング４２ａの上端に対して単点でより接触し易くなり、各装着部４２での道糸３の接触抵抗を効果的に小さく抑えて、ヤエン１を道糸３の先端まで迅速に送ることができる。
【００３５】
また、各コイルリング４２ａ〜４２ｃの下端が、支持体２に対してほぼ同じ距離を隔ててそれぞれ略平行に配置されているので、最前端のコイルリング４２ａの後側の各コイルリング４２ｂ，４２ｃの上端が後方側に行くに従って顕著に拡径することになる。このため、生餌ＦにイカＣが乗った時点での釣竿Ｒの上げ下げによって、最後端のコイルリング４２ｃの上端が道糸３によって持ち上がりやすくなる。これにより、各装着部４２の最前端のコイルリング４２ａと最後端のコイルリング４２ｃとに道糸３が交互に効率よく単点で接触し、ヤエン１を道糸３の先端（生餌Ｆ）までより迅速に送ることができる。
【００３６】
また、各コイルリング４２ａ〜４２ｃを螺旋状に連ねて作成するに当たって装着部４２の先端に必要であった把持片が切除されているので、各装着部４２に道糸３を装着する装着作業や道糸３の先端へのヤエン１の送り出しを把持部に邪魔されずに円滑に行うことができる。
【００３７】
更に、前側の掛け止め部４Ｆの立設部４１と支持体２とが筋交い４３によって連結されているので、各掛け針５にイカＣが引っ掛かった際に道糸３を支点にして上下動するために大きな力が作用する前側の掛け止め部４Ｆが筋交い４３によって効果的に補強され、ヤエン１の剛性を高めることができる。
【産業上の利用可能性】
【００３８】
本考案は、イカ釣りに使用されるヤエンに広く適用され得る。
【符号の説明】
【００３９】
１      イカ釣り用ヤエン（ヤエン）
２      支持体
３      道糸
４      掛け止め部
４０    通し環
４１    立設部（立設部分）
４２    装着部
４２ａ〜４２ｃ    コイルリング
４３    筋交い
５      掛け針
Ｃ      イカ
【図１】
0003174360.tif 000003
【図２】
0003174360.tif 000004
【図３】
0003174360.tif 000005
【図４】
0003174360.tif 000006
【図５】
0003174360.tif 000007
【図６】
0003174360.tif 000008
【図７】
0003174360.tif 000009